(57)【要約】      （修正有）【課題】マンション等の共同住宅や歴史的建造物等の壁面に取り付けて建物本体の耐震性能を大幅に改善させると共に、建物に対する追加工事を最小にでき、施工効率が非常に優れ、工期短縮及び工費節減を図ることができる壁面耐震補強構造を提供する。【解決手段】建物の壁面１に設置される壁面耐震補強構造であって、壁面１に取り付けられる鋼板部２と、鋼板部２に取り付けられると共に、垂直方向に延設されるガイドレール部３と、ガイドレール部３に案内されて積み上げられる耐震ブロック部４と、鋼板部２と耐震ブロック部４との間に充填されるモルタル部５と、を備える。【選択図】図２
0003233065.tif 000002
【実用新案登録請求の範囲】
【請求項１】
建物の壁面に設置される壁面耐震補強構造であって、
前記壁面に取り付けられる鋼板部と、
前記鋼板部に取り付けられると共に、垂直方向に延設されるガイドレール部と、
前記ガイドレール部に案内されて積み上げられる耐震ブロック部と、
前記鋼板部と前記耐震ブロック部との間に充填されるモルタル部と、を備える
ことを特徴とする壁面耐震補強構造。
【請求項２】
前記壁面は、前記建物に設けられたコンクリート製の既設壁面である
ことを特徴とする請求項１に記載の壁面耐震補強構造。
【請求項３】
さらに、前記壁面に打ち込まれたアンカー部を備え、
前記鋼板部は、前記アンカー部を介して前記壁面に取り付けられる
ことを特徴とする請求項１又は２に記載の壁面耐震補強構造。
【請求項４】
前記耐震ブロック部は、
前記ガイドレール部に沿ってスライド可能に嵌合される嵌合部と、
水平方向に互いに隣接する前記耐震ブロック部を係合する係合部と、を備える
ことを特徴とする請求項１〜３のいずれかに記載の壁面耐震補強構造。
【請求項５】
前記耐震ブロック部は、本体部と脚部とからなる断面Ｌ形に形成され、
前記係合部は、前記本体部及び前記脚部に設けられる凹部及び凸部からなる
ことを特徴とする請求項４に記載の壁面耐震補強構造。
【請求項６】
前記耐震ブロック部は、
表面が断面波形に湾曲するように形成されている
ことを特徴とする請求項１〜５のいずれかに記載の壁面耐震補強構造。
【請求項７】
前記耐震ブロック部は、セラミック製である
ことを特徴とする請求項１〜６のいずれかに記載の壁面耐震補強構造。
【考案の詳細な説明】
【技術分野】
【０００１】
本考案は、建物の既設壁面に新たに設置して、本体建物の耐震補強の用に供する構造に関する。
【背景技術】
【０００２】
新耐震基準が適用される前に設計された建物については、所定の震度に耐えうるか否かを調べるための耐震診断を行うことや、所定の震度に耐えうるように耐震補強を行うことなどが求められているが、マンション等の共同住宅や歴史的建造物においては、耐震補強工事にともなう技術的制約が大きいことから、耐震改修が進んでいない。
【０００３】
また、特許文献１のように、マンションの耐震補強においては、Ｘ形やＶ形や、あるいはＫ形等の筋交いが現在よく採用されているが、マンション等の共同住宅の１階フロント等の共有部分では筋交いを設置することは難しい。すなわち、共同住宅の共用部分では、往来者が多いことなどから、美観を重視する必要があるが、筋交いを設置すると美観が悪くなるという問題があり、また、筋交いを設置するためには広い施工スペースが必要であるが、共有部分では広いスペースを確保することが難しいという問題もある。
【先行技術文献】
【特許文献】
【０００４】
【特許文献１】特開２０１４−１５２５６６号公報
【考案の概要】
【考案が解決しようとする課題】
【０００５】
本考案が解決しようとする課題は、マンション等の共同住宅や歴史的建造物等の壁面に着目し、当該壁面に新たに取り付ける壁面耐震補強構造を提供することにある。
【課題を解決するための手段】
【０００６】
上記の課題を解決するために、本発明に係る壁面耐震補強構造は、建物の壁面に設置される壁面耐震補強構造であって、壁面に取り付けられる鋼板部と、鋼板部に取り付けられると共に、垂直方向に延設されるガイドレール部と、ガイドレール部に案内されて積み上げられる耐震ブロック部と、鋼板部と耐震ブロック部との間に充填されるモルタル部と、を備える。
【０００７】
好ましくは、壁面は、建物に設けられたコンクリート製の既設壁面である。
【０００８】
壁面耐震補強構造は、さらに、壁面に打ち込まれたアンカー部を備え、鋼板部は、アンカー部を介して壁面に取り付けられることが望ましい。
【０００９】
また、好ましくは、耐震ブロック部は、ガイドレール部に沿ってスライド可能に嵌合される嵌合部と、水平方向に互いに隣接する耐震ブロック部を係合する係合部と、を備える。
【００１０】
また、耐震ブロック部は、本体部と脚部とからなる断面Ｌ形に形成され、係合部は、本体部及び脚部の外側に設けられる凹部及び凸部からなることが望ましい。
【００１１】
好ましくは、耐震ブロック部は、表面が断面波形に湾曲するように形成されている。
【００１２】
また、耐震ブロック部は、セラミック製であることが望ましい。
【考案の効果】
【００１３】
本考案に係る建物の壁面耐震補強構造は、建物の既設壁面に新たに設置するものであって、この構造によって、建物本体の耐震性能を大幅に改善させると共に、鋼製による軽量及び粘り強さによって、建物に対する追加工事を最小にでき、施工効率に非常に優れ、工期短縮及び工費節減を図ることができる。
【００１４】
さらに、耐震ブロックを利用することにより、既設壁面の耐震性を向上させると共に、耐震ブロックの表面を美観性に優れた形状や模様にすることで、壁面全体の美観を各段に向上することができることから、往来者が多い１階フロント等において特に有用である。
【００１５】
また、耐震ブロックの積み上げにおいても、耐震ブロックを案内するガイドレールを用いることで、位置がずれることなく容易に施工でき、熟練度に関係なく施工できるため、施工効率及び工期短縮に非常に優れている。
【００１６】
また、壁面に鋼板部を取り付けて、鋼板部に取り付けられたガイドレール部に耐震ブロック部を案内して積み上げて、鋼板部と耐震ブロック部との間にモルタル部を充填するので、筋交いの設置に比べると、工事スペースを小さくできることから、マンション等の共有部分においても往来者の通行の妨げになることがなく、施工時の安全性にも優れている。
【図面の簡単な説明】
【００１７】
【図１】建物の壁面に設置された壁面耐震補強構造の一部を示す正面図。
【図２】図１のＡ−Ａ線方向における壁面耐震補強構造を示す断面図。
【図３】図１のＢ−Ｂ線方向における壁面耐震補強構造を示す断面図。
【図４】耐震ブロック部を示し、図４Ａは正面図、図４Ｂは図４ＡのＢ−Ｂ線断面図、図４Ｃは耐震ブロックが積み上げられた正面図。
【考案を実施するための形態】
【００１８】
以下、図面に基づいて、本考案に係る壁面耐震補強構造を説明する。Ｘ方向、Ｙ方向及びＺ方向は互いに直交する方向である。Ｘ方向及びＹ方向は水平方向であり、Ｚ方向は垂直方向である。
【００１９】
図１に示す通り、マンション等の建物の既存壁面１は、鉄筋コンクリート製（ＲＣ構造又はＳＲＣ構造等）の壁面である。既存壁面１の表面に既存の外装ブロックが取り付けられている場合は、外装ブロックを取り除き、コンクリート面を露出させる。そして、コンクリート面が露出した壁面１に対して、複数のアンカー部６を壁面１のＸ方向及びＺ方向に等間隔に打ち込む。アンカー部６は、あと施工アンカー、打ち込みアンカー、ケミカルアンカー、打ち込み式アンカー、ねじ込み式アンカー等からなり、特に限定されない。
【００２０】
複数のアンカー部６が打ち込まれた壁面１に沿うように、アンカー部６を介して、複数の鋼板部２が取り付けられる。アンカー部６には、ボルトの螺合によって、鋼板部２が取り付けられる。図２及び図３に示す通り、壁面１と鋼板部２との間にグラウトが充填されて、グラウト部７が形成される。互いに隣接する鋼板部２の端辺が重なり合うように、複数の鋼板部２を壁面１に配置して取り付けることで、グラウトが鋼板部２同士の間から漏れ出ないように構成されている。
【００２１】
アンカー部６及びグラウト部７によって、壁面１と鋼板部２とを一体化することができる。そして、鋼板部２の軽量及び粘り強さによって、既設壁面１の耐震性能を大幅に改善することができる。
【００２２】
図２及び図３に示す通り、壁面１に対して、Ｚ方向に延設される複数のガイドレール部３が、タップビス等の連結手段を介して、取り付けられる。ガイドレール部３は、Ｘ方向に等間隔に配置される。ガイドレール部３は金属製で構成されており、Ｚ方向に延設される複数のガイドレール部３をＸ方向に等間隔に鋼板部２に取り付けることで、鋼板部２を補強することができ、そして、鋼板部２の撓み及び座屈を防止することができる。
【００２３】
図２及び図３に示す通り、ガイドレール部３に対して、Ｘ方向及びＺ方向に複数の耐震ブロック部４が取り付けられる。後述するように、耐震ブロック部４は、Ｘ方向に互いに隣接する耐震ブロック部４の端部が係合するように構成されている。さらに、鋼板部２と耐震ブロック部４との間に無収縮モルタルが充填されて、モルタル部５が形成される。その結果、耐震ブロック部４は、鋼板部２と一体化される。そして、壁面１の全体が、耐震ブロック部４で覆われる。
【００２４】
図４に示す通り、耐震ブロック部４は、正面が矩形状に構成され（図４Ａ）、断面がＬ字形状に構成される（図４Ｂ）。耐震ブロック部４は、強度及び耐久性に優れる素材、例えばセラミック製で構成される。図４Ｂに示す通り、耐震ブロック部４は、正面側の本体部４０と、本体部４０の一端部から背面側に延設される脚部４１と、を備える。
【００２５】
図４Ｂに示す通り、耐震ブロック部４の脚部４１は、先端に嵌合部４１０が設けられる。嵌合部４１０は、脚部４１より幅広に構成されている。また、図２に示す通り、ガイドレール部３は、断面Ｕ字状に構成される。そして、耐震ブロック部４の嵌合部４１０がガイドレール部３に嵌め込まれる。また、耐震ブロック部４は、脚部４１と嵌合部４１０との間に段差部４１０ａが形成されている一方、ガイドレール部３は、耐震ブロック部４の段差部４１０ａを引っ掛ける突起部３０（図２）を備えており、耐震ブロック部４の段差部４１０ａとガイドレール部３の突起部３０とが係止して、耐震ブロック部４はガイドレール部３に対して、Ｚ方向にスライド可能で、Ｙ方向に取り外れないように構成される。これにより、耐震ブロック部４を壁面１に沿うように積み重ねることが可能となる。
【００２６】
図４Ｂに示す通り、耐震ブロック部４は、Ｘ方向に互いに隣接する耐震ブロック部４を係合する係合部４２を備える。係合部４２は、脚部４１に設けられる凹部４２０と、本体部４０に設けられる凸部４２１とからなる。そして、凹部４２０及び凸部４２１が、Ｘ方向に互いに隣接する耐震ブロック部４を互いに係合するよう構成される。これにより、Ｘ方向に隣接する耐震ブロック部４が位置合わせされると共に、それぞれの間からモルタルが漏れ出ないように構成されている。
【００２７】
図４に示す通り、耐震ブロック部４は、本体部４０の背面側に複数のリブ部４３を備え、本体部４０を補強する。また、本体部４０は、断面波形に湾曲するように構成されている。また、Ｚ方向に積み上げられる耐震ブロック部４は、強度を向上させるために、Ｘ方向に互いにずれて千鳥状に配置される（図４Ｃ）。ここで、耐震ブロック部４の本体部４０が断面波形に湾曲していることから、Ｘ方向に位置ずれしても、Ｚ方向に互いに重なる部分が確実に確保されるので、熟練度に関係なく確実に積み重ねることができると共に、表面全体のデザイン性に優れた壁面１を形成することができる。
【００２８】
上記の通り、耐震ブロック部４をガイドレール部３にスライドするだけで適切な位置に積み重ねることができる。さらに、耐震ブロック部４を型枠として兼用することができるので、型枠を施工することなく、既存壁面１に取り付けられた鋼板部２と耐震ブロック部４との間にモルタル部５を設けて一体化することができる。従って、熟練度に関係なく容易に施工できるため、施工効率及び工期短縮に非常に優れている。
【００２９】
以上、本考案の好ましい実施形態を説明したが、本考案の構成はこれらの実施形態に限定されるものではない。
例えば、耐震ブロック部４の形状や素材等は、実施形態に限定されるものではなく、断面が直線形でも、コンクリート製、焼成粘土製等でもよい。
【００３０】
本発明に係る壁面耐震補強構造は、建物の壁面に設置される壁面耐震補強構造であって、壁面１に取り付けられる鋼板部２と、鋼板部２に取り付けられると共に、垂直方向に延設されるガイドレール部３と、ガイドレール部３に案内されて積み上げられる耐震ブロック部４と、鋼板部２と耐震ブロック部４との間に充填されるモルタル部５と、を備える。
【００３１】
この壁面耐震補強構造は、マンション等の建物の既設壁面１に新たに設置するものであって、この構造によって、建物本体の耐震性能を大幅に改善させると共に、鋼板部２による軽量及び粘り強さによって、建物に対する追加工事を最小にでき、施工効率に優れると共に、工期短縮及び工費節減を達成することができる。
【００３２】
さらに、耐震ブロック部４を利用することにより、既設壁面１の耐震性を向上させると共に、耐震ブロック部４の表面を美観性に優れた形状や模様にすることで、壁面１の全体の美観を各段に向上することができることから、往来者が多い１階フロント等において特に有用である。
【００３３】
また、耐震ブロック部４の積み上げにおいても、耐震ブロック部４を案内するガイドレール部３を用いることで、位置がずれることなく容易に施工でき、熟練度に関係なく施工できるため、施工効率に非常に優れ、工期短縮を図ることができる。
【００３４】
また、壁面１に鋼板部２を取り付けて、鋼板部２に取り付けられたガイドレール部３に耐震ブロック部４を案内して積み上げて、鋼板部２と耐震ブロック部４との間にモルタル部５を充填するので、筋交いの設置工事に比べると、工事スペースを小さくできることから、マンション等の共有部分においても往来者の通行の妨げになることがなく、施工時の安全性にも優れる。
【００３５】
また、マンション等の建物の既存の壁面１に設置することが容易であることから、壁面が建物に設けられたコンクリート製の既設壁面である場合に、特に有用である。
【００３６】
壁面耐震補強構造は、さらに、壁面１に打ち込まれたアンカー部６を備え、鋼板部２は、アンカー部６を介して壁面１に取り付けられることが望ましい。
あと施工アンカー等のアンカー部６を壁面１に打ち込み、アンカー部６を介して鋼板部２を壁面１に取り付けることで、短工期及び低工費で壁面１と鋼板部２とを一体化することができ、施工効率、工期短縮及び工費節減に非常に優れる。
【００３７】
また、好ましくは、耐震ブロック部４は、ガイドレール部３に沿ってスライド可能に嵌合される嵌合部４１０と、水平方向に互いに隣接する耐震ブロック部４を係合する係合部４２と、を備える。
そのため、係合部４２が、Ｘ方向に互いに隣接する耐震ブロック部４を互いに係合するよう構成されるので、Ｘ方向に隣接する耐震ブロック部４が位置合わせされると共に、各耐震ブロック部４の間からモルタルが漏れ出ない。その結果、耐震ブロック部４の間から漏れ出たモルタルを処理する必要がなく、また、位置ずれすることなく耐震ブロック部４を積み重ねことができ、美観を損なうことなく、さらに、工期短縮及び工費節減につなげることができる。
【００３８】
また、耐震ブロック部４は、本体部４０と脚部４１とからなる断面Ｌ形に形成され、係合部４２は、本体部４０及び脚部４１に設けられる凹部４２０及び凸部４２１からなることが望ましい。
このように、耐震ブロック部４を本体部４０と脚部４１とからなる断面Ｌ形にすることによって、脚部４１でガイドレール部３に適切に沿わすことができると共に、本体部４０と鋼板部２との間に適切な距離を確保してモルタル部５を充填することができることで、型枠を施工することなく、壁面１及び鋼板２に沿ったモルタル部を施工できる。さらに、凹部４２０と凸部４２１によって係合部４２を構成することで、特別な部材からなる係合部４２を耐震ブロック部４に取り付ける必要がなく、耐震ブロック部４の外形を形成するだけで係合部４２を設けることができるため、係合部４２の構成を簡略化でき、製造コストを低減することができる。
【００３９】
耐震ブロック部４を積み重ねる際に、Ｘ方向に位置ずれしても、Ｚ方向に互いに重なる部分が確実に確保されるように、耐震ブロック部４の表面を断面波形に湾曲することが望ましく、これによって、熟練度に関係なく確実に積み重ねることができると共に、表面全体のデザイン性に優れた壁面１を形成することができる。
【００４０】
また、耐震ブロック部４は、セラミック製であることが望ましい。このように、耐震ブロック部４をセラミック製とすることで、地震による耐性及び強度を確保することができる。
【符号の説明】
【００４１】
１  壁面
２  鋼板部
３  ガイドレール部
４  耐震ブロック部
４０  本体部
４１  脚部
４１０  嵌合部
４２  係合部
４２０  凹部
４２１  凸部
５  モルタル部
６  アンカー部
【図１】
0003233065.tif 000003
【図２】
0003233065.tif 000004
【図３】
0003233065.tif 000005
【図４】
0003233065.tif 000006